(57)【特許請求の範囲】
【請求項１】
接続対象物が着脱自在に挿抜されるコネクタであって、
前記接続対象物と片面で接触する平板状の接触部とハウジングに固定する固定部と基板に接続する接続部を有する所要数のコンタクトと該コンタクトが挿入され、配列・保持される挿入孔と前記接続対象物が挿入される嵌合口と前記コンタクトの接触部の倒れを防止する壁を有するハウジングとを備えるコネクタにおいて、
前記コンタクトの接触部と固定部との間が２ｍｍ以上の場合に、
前記コンタクトの接触部側の固定部近傍に上下方向の段差をつけた段差部を設け、前記ハウジングの挿入孔内で前記コンタクトの段差部に対応する位置に前記段差部と係合するための上下方向の段差をつけた突出壁を設け、前記コンタクトの段差部と前記ハウジングの突出壁が係合することにより前記コンタクトの接触部の前記嵌合口側への倒れを防止することを特徴とするコネクタ。
【請求項２】
前記コンタクトの接触部の幅方向両側に突出片を設け、該突出片が前記ハウジングの挿入孔に引っ掛かることにより前記コンタクトの接触部の前記嵌合口側への倒れを防止することを特徴とする請求項１記載のコネクタ。
【発明の詳細な説明】
【技術分野】
【０００１】
本発明は、サーバやパーソナルコンピュータ（ＰＣ）やＨＤＤ等の電気機器や電子機器に使用されるコネクタに関するもので、特に、前記コンタクトの接触部と固定部との間が２ｍｍ以上の場合に前記コンタクトの接触部の前記嵌合口側への倒れを防止する構造に関するものである。
【背景技術】
【０００２】
一般的なコネクタとしては、接続対象物との導通を図るため金属で製作されたコンタクトと該コンタクト間の絶縁を図るために絶縁材料で製作されたハウジングを備えることが多い。前記コンタクトは、前記接続対象物と接触する接触部と前記ハウジングに固定する固定部と基板へ接続する接続部を有している。
下記に、文献として、特許文献１（実開平５−７９８６７号）や特許文献２（実開平６−１３０６４号）や特許文献３（特開２００１−６７８０）を挙げる。
【特許文献１】実開平５−７９８６７号の要約によると、端子部にＵスリットを有する導電性のコンタクト（１）と、このコンタクト（１）を収容して保持固定するボディ（２）と、結線すべき電線・ケーブル（４）の導体を、前記コンタクト（１）の端子部（１３）のＵスリット（１３１）内に圧入するために、前記電線・ケーブル（４）を前記コンタクト（１）の端子部（１３）と押圧するカバー（３）とからなる圧接結線形の電気コネクタにおいて、外部から電線・ケーブルに与えられる力により生ずる、接続された電線・ケーブルの接続の緩みや、電線・ケーブルの断線の防止することを目的に、ボディ（２）から立上っているコンタクト（１）の端子部（１３）のＵスリット（１３１）の近傍のボディ（２）に、カバー（３）とで接続された電線・ケーブルを挟持しうる高さの突出した台部（２１）を設けて電線・ケーブルの接続の緩みや断線を防止する構造の電気コネクタが開示されている。  ちなみに、実用新案登録請求の範囲には、請求項１として、端子部にＵスリットを有する導電性のコンタクトと、このコンタクトを収容して保持固定するボディと、結線すべき電線・ケーブルの導体を、前記コンタクトの端子部のＵスリットに圧入するために、前記電線・ケーブルを前記コンタクトの端子部に押圧するカバーとからなる圧接結線形の電気コネクタにおいて、前記ボディから立上っているコンタクトの端子部のＵスリットの近傍に、前記ボディから突出している台部を備えてなる電気コネクタが開示されている。
【特許文献２】実開平６−１３０６４号の要約によると、合成樹脂製のハウジングに、列状にした多数のコンタクトを圧入固定するコンタクト圧入コネクタにおいて、ハウジングに反りが生じないコネクタを得ることを目的とし、コンタクトに形成する圧入突起を、コンタクトの整列方向と略直交する方向に突出させて設けたコンタクト圧入コネクタが開示されている。  ちなみに、実用新案登録請求の範囲には、請求項１として、合成樹脂製のハウジングに、列状にした多数のコンタクトを圧入固定するコンタクト圧入コネクタにおいて、上記多数のコンタクトのハウジングに対する圧入部に、コンタクト群の整列方向に対して直交する方向に突出させて圧入突起を設けたことを特徴とするコンタクト圧入コネクタ、請求項２として、請求項１において、ハウジングはコンタクトの相手側コンタクトとの接触部を挿入させる挿入溝を有し、コンタクトの圧入突起は、該コンタクトの接触部をこの挿入溝の底部から離間させる位置に設けられているコンタクト圧入コネクタが開示されている。
【特許文献３】特開２００１−６７８０の要約によると、小型化が可能で半田接続の信頼性を高められる、端子が多段に配列された電気コネクタを提供することを目的とし、絶縁ハウジング１に形成された平行な複数段の配列面のそれぞれに、金属板を略帯状に加工して得る端子の一端側をなす接触部７，１２が位置するように複数の端子５，１１を配列し、対応位置にある各段の端子の他端側に延びる脚部９，１４に形成される接続部１０，１５がハウジングから突出し同一平面に位置する電気コネクタにおいて、対応位置にある各段のうち少なくとも一つの端子５の脚部９が端子の幅方向に間隔をもって複数形成されており、他の段の端子１１の脚部１４が上記幅方向にて上記間隔内に位置し、かつ対応位置にある各段の端子の接続部１０，１５が一つの平面上で上記幅方向にてほぼ同一の列をなすように位置している構造の電気コネクタが開示されている。  ちなみに、特許請求の範囲には、請求項１として、絶縁ハウジングに形成された平行な複数段の配列面のそれぞれに、金属板を略帯状に加工して得る端子の一端側をなす接触部が位置するように複数の端子を配列し、対応位置にある各段の端子の他端側に延びる脚部に形成される接続部が配列面から突出し同一平面に位置する電気コネクタにおいて、対応位置にある各段のうち少なくとも一つの端子の脚部が端子の幅方向に間隔をもって複数形成されており、他の段の端子の脚部が上記幅方向にて上記間隔内に位置し、かつ対応位置にある各段の端子の接続部が一つの平面上で上記幅方向にてほぼ同一の列をなすように位置していることを特徴とする端子が多段に配列された電気コネクタ、請求項２として、複数の脚部を有する端子が電源端子であり、他の端子が信号端子であることとする請求項１に記載の端子が多段に配列された電気コネクタ、請求項３として、電源端子は脚部を二つ有しており、各脚部の端部が回路基板の回路部と半田接続される接続部となっていることとする請求項２に記載の端子が多段に配列された電気コネクタ、請求項４として、電源端子は脚部が三つ有しており、各脚部の端部が回路基板の回路部と半田接続される接続部となっていることとする請求項２に記載の端子が多段に配列された電気コネクタ、請求項５として、電源端子は脚部が四つ有しており、各脚部の端部が回路基板の回路部と半田接続される接続部となっていることとする請求項２に記載の端子が多段に配列された電気コネクタが開示されている。
【発明の開示】
【発明が解決しようとする課題】
【０００３】
上述した特許文献１（図１，４，５を参照）や特許文献２（図１を参照）や特許文献３（図２を参照）のコンタクトは、接続対象物と接触する接触部の反対側にはハウジング（絶縁物）の壁を有するとともに固定部から接触部までの距離が大きい場合がある。
固定部から接触部までの距離が大きいと、前記コンタクトの接触部がフリー（自由端）になっているため固定部を支点（片持ち梁）にして、接続対象物の挿入方向へ前記コンタクトが倒れることがあった。前記コンタクトの接触部が前記接続対象物の挿入方向へ倒れると、前記コンタクトの座屈や破損に繋がり、接続不良に繋がるといった課題があった。
【０００４】
本発明は、このような従来の問題点に鑑みてなされたもので、前記コンタクトの接触部が前記接続対象物の挿入方向へ倒れることなく、コンタクトの座屈や破損がなく、接続不良にも繋がらないコネクタを提供せんとするものである。
【課題を解決するための手段】
【０００５】
本目的は、請求項１記載のように、接続対象物が着脱自在に挿抜されるコネクタ１０であって、前記接続対象物と片面で接触する平板状の接触部１６とハウジング１２に固定する固定部１８と基板に接続する接続部２０を有する所要数のコンタクト１４と該コンタクト１４が挿入され、配列・保持される挿入孔３０と前記接続対象物が挿入される嵌合口２６と前記コンタクト１４の接触部１６の倒れを防止する壁を有するハウジング１２とを備えるコネクタ１０において、前記コンタクト１４の接触部１６と固定部１８との間が２ｍｍ以上の場合に、前記コンタクト１４の接触部１６側の固定部１８近傍に上下方向の段差をつけた段差部２２１を設け、前記ハウジング１２の挿入孔３０内で前記コンタクト１４の段差部２２１に対応する位置に前記段差部２２１と係合するための上下方向の段差をつけた突出壁３４１を設け、前記コンタクト１４の段差部２２１と前記ハウジング１２の突出壁３４１が係合することにより前記コンタクト１４の接触部の前記嵌合口２６側への倒れを防止することを特徴とするコネクタ１０にすることにより達成できる。
【０００６】
前記コンタクト１４の接触部１６の幅方向両側に突出片２４を設け、該突出片２４が前記ハウジング１２の挿入孔３０に引っ掛かることにより、前記コンタクト１４の接触部１６の前記嵌合口２６側への倒れを防止することを特徴とする請求項１記載のコネクタ１０にある。
【発明の効果】
【０００７】
以上の説明から明らかなように、本発明のコネクタ１０によると、次のような優れた効果が得られる。
（１）請求項１記載のように、接続対象物が着脱自在に挿抜されるコネクタ１０であって、前記接続対象物と接触する接触部１６とハウジング１２に固定する固定部１８と基板に接続する接続部２０を有する所要数のコンタクト１４と該コンタクト１４が挿入され、配列・保持される挿入孔３０と前記接続対象物が挿入される嵌合口２６と前記コンタクト１４の接触部１６の倒れを防止する壁を有するハウジング１２とを備えるコネクタ１０において、前記コンタクト１４の接触部１６と固定部１８との間が２ｍｍ以上の場合に、前記コンタクト１４の固定部１８近傍に係合部２２を設け、前記ハウジング１２の挿入孔３０内で前記コンタクト１４の係合部２２に対応する位置に前記係合部２２と係合する係止部３４を設け、前記コンタクト１４の係合部２２と前記ハウジング１２の係止部３４が係合することにより前記コンタクト１４の接触部の前記嵌合口２６側への倒れを防止することを特徴とするコネクタ１０にしているので、前記コンタクト１４の接触部１６が前記接続対象物の挿入方向へ倒れることなく、かつ、前記接続部２０の矯正時に前記接触部１６が倒れることもなく、コンタクト１４の座屈や破損がなく、接続不良にも繋がらない。
（２）請求項２記載のコネクタ１０は、前記コンタクト１４の係合部２２を段差部２２１とし、前記ハウジング１２の挿入孔３０内の係止部３４を突出壁３４１とし、前記コンタクト１４の段差部２２１と前記ハウジング１２の突出壁３４１が係合することにより前記コンタクト１４の接触部１６の前記嵌合口２６側への倒れを防止することを特徴とする請求項１記載のコネクタ１０にしているので、前記コンタクト１４の接触部１６が前記接続対象物の挿入方向へ倒れることなく、かつ、前記接続部２０の矯正時に前記接触部１６が倒れることもなく、コンタクト１４の座屈や破損がなく、接続不良にも繋がらない。
【発明を実施するための最良の形態】
【０００８】
本発明の特徴は、「接触部１６と固定部１８との間が２ｍｍ以上の場合に、前記コンタクト１４の接触部１６が嵌合口２６側に倒れることがないように、前記コンタクト１４の固定部１８近傍に係合部２２を設け、前記ハウジング１２の挿入孔３０内で前記コンタクト１４の係合部２２に対応する位置に前記係合部２２と係合する係止部３４を設け、前記コンタクト１４の係合部２２と前記ハウジング１２の係止部３４が係合することにより前記コンタクト１４の接触部１６の前記嵌合口２６側への倒れを防止した」構造のコネクタ１０である。
つまり、固定部１８より接触部１６に近い側で、前記コンタクト１４の係合部２２と前記ハウジング１２の係止部３４とを係合させる（所謂、閊え棒の役割）ようにしたものである。
【０００９】
図１から図６に基づいて、本発明のコネクタ１０の一実施例について説明する。
図１（Ａ）は本発明のコネクタを嵌合口側の上方からみた斜視図であり、（Ｂ）は本発明のコネクタを嵌合口の反対側の上方からみた斜視図である。図２（Ａ）は本発明のコネクタを嵌合口側の下方からみた斜視図であり、（Ｂ）は本発明のコネクタを嵌合口の反対側の下方からみた斜視図である。図３（Ａ）はコンタクトを接触部上方よりみた斜視図であり、（Ｂ）はコンタクトを接続部上方からみた斜視図である。図４（Ａ）はハウジングを嵌合口側の上方からみた斜視図であり、（Ｂ）はハウジングを嵌合口側の下方からみた斜視図である。図５（Ａ）はある挿入孔中央で断面した本発明のコネクタの横断面図であり、（Ｂ）は（Ａ）のＸ部拡大断面図である。図６は固定具の斜視図である。
【００１０】
本発明のコネクタ１０は主にハウジング１２とコンタクト１４とを備えているが、本実施例ではさらに固定具１５を備えている。
【００１１】
図に基づいて本発明のコネクタ１０の構成部品について説明する。
まず、コンタクト１４ついて説明する。コンタクト１４は金属製であり、公知技術のプレス加工によって製作されている。前記コンタクト１４の材質としては、バネ性や導電性などが要求されるので、黄銅やベリリウム銅やリン青銅等を挙げることができる。前記コンタクト１４は図３のように略クランク形状をしており、主に接続対象物と接触する接触部とハウジングに固定する固定部と基板に接続する接続部と係合部を有しており、本実施例では、前記コンタクト１４は前記ハウジング１２の挿入孔内に挿入される。また、本実施例では、シーケンス構造にするために、２種類のコンタクト１４を使用している。相違点は接触部１６までの長さが違うだけである。
【００１２】
前記接触部１６は前記接続対象物と接触する部分であり、前記接続対象物の形状の沿った形状にしており、接触し易く、かつ、安定した接触圧が得られるように適宜設計する。前記固定部１８は前記ハウジング１２に固定するための部分であり、位置や大きさは保持力や強度を考慮して適宜設計する。前記接続部２０は基板６０と接続する部分であり、基板６０に合わせて適宜設計する。本実施例では図３のように表面実装タイプ（ＳＭＴ）にしているが、ディップタイプでも良い。
【００１３】
前記コンタクト１４には、前記固定部１８の近傍で、かつ、前記接触部１６側よりに、接触部１６と固定部１８との間が２ｍｍ以上の場合に、前記コンタクト１４の接触部１６が嵌合口２６側に倒れることがないように、係合部２２が設けられている。前記係合部２２の位置や大きさは、このような役割（倒れ防止）が満足すれば如何なるものでもよいが、本実施例では加工のし易さ等を考慮して段差部２２１にしている。段差部２２１の大きさは、役割や加工性等を考慮して、０．０２〜０．０７ｍｍにしている。
さらに、接触部１６の倒れを防止するために、前記接触部１６の幅方向両側には、突出片２４を設けて、前記ハウジング１２の挿入孔３０に引っ掛かるようにしている。
【００１４】
次に、ハウジング１２について説明する。このハウジング１２は電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。
前記ハウジング１２には、所要数のコンタクトが装着される挿入孔３０が設けられており、圧入や引っ掛け（ランス）や溶着等によって固定されている。
【００１５】
前記挿入孔内３０には、前記係合部２２に対応する位置に、接触部１６と固定部１８との間が２ｍｍ以上の場合に、前記コンタクト１４の接触部１６が嵌合口２６側に倒れることがないようにするために、前記係合部２２と係合する係止部３４が設けられている。前記係止部３４の位置や大きさは、このような役割（倒れ防止）が満足すれば如何なるものでもよいが、本実施例では加工性や強度を考慮して、突出壁３４１にしている。前記ハウジング１２の突出壁３４１の大きさは、前記係合部２２と係合でき、係合することにより前記コンタクト１４の接触部１６の前記嵌合口２６側への倒れ、かつ、前記接続部２０の矯正時に前記接触部１６が倒れを防止できれば、如何なるものでもよく、本実施例では０．０１〜０．０７ｍｍにしている。
【００１６】
前記ハウジング１２の長手方向両側には、前記固定具１５を挿入するための装着孔３２が設けられている。前記装着孔３２の大きさは前記固定具１５が挿入できれば如何なるものでもよく、保持力や強度等を考慮して適宜設計する。
また、前記ハウジング１２には、前記接続対象物が挿入される嵌合口２６が設けられている。前記嵌合口２６の大きさや形状は、前記接続対象物に沿うように適宜設計している。
【００１７】
前記嵌合口２６内には、前記コンタクト１４の接触部１６が保持される嵌合突出部２８が設けられ、前記嵌合突出部２８は前記接続対象物に沿うように２つに分かれ、それぞれの前記嵌合突出部２８の形状は誤嵌合を防止するために略Ｌ字形状にしており、前記コンタクト１４の接触部１６の反対面と前記嵌合突出部２８は接するようになっている。
【００１８】
最後に、固定具１５について説明する。前記固定具１５は金属製であり、公知技術のプレス加工によって製作されている。前記固定具１５の材質としては、バネ性や導電性や強度などが要求されるので、黄銅やベリリウム銅やリン青銅等を挙げることができる。前記固定具１５は基板６０に固定することで、前記コネクタ１０の実装強度を補強するものであり、前記固定具１５は断面略Ｌ字形状をしており、前記ハウジング１２に固定する固定部１８１と前記基板６０に接続する接続部２０１を有している。前記固定部１５は前記ハウジング１２に確実に固定できれば如何なる形状・大きさでもよく、強度や加工性やコネクタ１０の小型化等を考慮して適宜設計する。前記接続部２０１は前記コネクタ１０の実装強度を補強できれば如何なる形状・大きさでもよく、実装強度や加工性やコネクタ１０の小型化や基板占有面積等を考慮して適宜設計する。
【産業上の利用可能性】
【００１９】
本発明の活用例としては、サーバやＰＣやＨＤＤ等の電気機器や電子機器に使用されるコネクタ１０に活用され、特に前記コンタクトの接触部と固定部との間が２ｍｍ以上の場合に前記コンタクトの接触部の前記嵌合口側への倒れを防止する構造に関するものである。
【図面の簡単な説明】
【００２０】
【図１】（Ａ）  本発明のコネクタを嵌合口側の上方からみた斜視図である。（Ｂ）  本発明のコネクタを嵌合口の反対側の上方からみた斜視図である。
【図２】（Ａ）  本発明のコネクタを嵌合口側の下方からみた斜視図である。（Ｂ）  本発明のコネクタを嵌合口の反対側の下方からみた斜視図である。
【図３】（Ａ）  コンタクトを接触部上方よりみた斜視図である。（Ｂ）  コンタクトを接続部上方からみた斜視図である。
【図４】（Ａ）  ハウジングを嵌合口側の上方からみた斜視図である。（Ｂ）  ハウジングを嵌合口側の下方からみた斜視図である。
【図５】（Ａ）  ある挿入孔中央で断面した本発明のコネクタの横断面図である。（Ｂ）  （Ａ）のＸ部拡大断面図である。
【図６】固定具の斜視図である。
【符号の説明】
【００２１】
１０  コネクタ
１２  ハウジング
１４  コンタクト
１５  固定具
１６  接触部
１８、１８１  固定部
２０、２０１  接続部
２２  係合部
２２１段差部
２４  突出片
２６  嵌合口
２８  嵌合突出部
３０  挿入孔
３２  装着孔
３４  係止部
３４１突出壁
６０  基板
【図１】
0005134943.tif 000002
【図２】
0005134943.tif 000003
【図３】
0005134943.tif 000004
【図４】
0005134943.tif 000005
【図５】
0005134943.tif 000006
【図６】
0005134943.tif 000007